(57)【要約】【課題】説明の部分と操作器具とを見比べる手間を低減し、操作の簡便化を図るとともに、操作器具をコンパクトに収納する。【解決手段】操作器具セット１０ａは、穿刺ペン１２及び血糖計１６と、折り畳み可能なシート体３０と、シート体３０の内側で、穿刺ペン１２を着脱自在に保持する第１保持部３２と、血糖計１６を着脱自在に保持する第２保持部３４と、シート体３０の内側で、操作器具の取り扱いに係る説明が表示された説明部３６とを有する。穿刺ペン１２及び血糖計１６は、シート体３０を折り畳むことによって収納される。シート体３０は、開いた状態で、四角い中央部４０と、上下左右に設けられた４つの展開部４２ａ〜４２ｄとを有する。【選択図】図１
2008228887.tif 000002
【特許請求の範囲】
【請求項１】
折り畳み可能なシート体と、
前記シート体の内側で、保持部によって着脱自在に保持される操作器具と、
前記シート体の内側で、前記操作器具の取り扱いに係る説明が表示された説明部と、
を有し、
前記操作器具は、前記シート体を折り畳むことによって収納されることを特徴とする操作器具セット。
【請求項２】
請求項１記載の操作器具セットにおいて、
前記シート体は、開いた状態で、四角い中央部と、
上下左右に設けられた４つの展開部と、
を有することを特徴とする操作器具セット。
【請求項３】
請求項１又は２記載の操作器具セットにおいて、
前記説明部は複数枚の頁体であり、
前記頁体は、上面の側から順に前記操作器具の取り扱い順序に応じた説明が表示されていることを特徴とする操作器具セット。
【請求項４】
巻回可能なシート体と、
前記シート体の内側で、保持部によって着脱自在に保持される操作器具と、
前記シート体の内側で、前記操作器具の取り扱いに係る説明が表示された説明部と、
を有し、
前記操作器具は、前記シート体を巻回して収納されることを特徴とする操作器具セット。
【請求項５】
請求項４記載の操作器具セットにおいて、
前記シート体は開いた状態で縦長形状であって、
前記説明部は、縦方向に沿って順に前記操作器具の取り扱い順序に応じた説明が表示されていることを特徴とする操作器具セット。
【請求項６】
請求項５記載の操作器具セットにおいて、
前記保持部は、説明部における取り扱い順序に応じて、前記操作器具を使用する箇所に設けられていることを特徴とする操作器具セット。
【請求項７】
請求項１〜６のいずれか１項に記載の操作器具セットにおいて、
前記操作器具は、アタッチメントを装着して使用するものであり、
前記アタッチメントを複数収納するアタッチメント収納部を有することを特徴とする操作器具セット。
【請求項８】
請求項１〜７のいずれか１項に記載の操作器具セットにおいて、
前記アタッチメント収納部は、前記シート体の内側に設けられた袋部であることを特徴とする操作器具セット。
【請求項９】
請求項１〜８のいずれか１項に記載の操作器具セットにおいて、
前記操作器具は異なる種類の複数が設けられ、
各前記操作器具は、異なるアタッチメントを装着して使用するものであり、
前記操作器具と前記アタッチメントは、対応する組が同色に設定され、異なる組は異色に設定されていることを特徴とする操作器具セット。
【請求項１０】
請求項１〜９のいずれか１項に記載の操作器具セットにおいて、
前記説明部は、前記操作器具が配置された状態で説明可能に表示されていることを特徴とする操作器具セット。
【発明の詳細な説明】
【技術分野】
【０００１】
本発明は、操作器具セットに関し、特に、シート体により操作器具を収納する操作器具セットに関する。
【背景技術】
【０００２】
糖尿病等の患者の血糖値を計測する際は、血液を微量出すための穿刺ペン等の穿刺具及び血液に接触させて計測を行う血糖計が用いられる。穿刺ペンは、使い捨て部品である穿刺針が装着されて穿刺を行う。血糖計は、試薬が含浸された試験片が装着されて計測を行う。
【０００３】
このような穿刺ペン、血糖計、穿刺針及び試験片は、使いやすいように相当に工夫がなされており、マニュアルを読めば通常は問題なく使用することができる。また、穿刺ペン、血糖計、穿刺針及び試験片は、一連の計測で順次用いられるものであることから、一式が１つの収納体に収納され、使用の便宜が図られている。
【０００４】
一方、穿刺ペン及び血糖計に限らず、人が操作を行う必要のある操作器具にはマニュアルが設けられており、該操作器具が使いやすいように工夫がなされている。
【０００５】
例えば、特許文献１記載の取り扱い説明書では、配線ステップと、ページ上のエリアとを対応付けて、操作を分かりやすく説明している。特許文献２記載の幼児用絵本では、衣服に模した紙辺を用いながら、幼児が衣服の着方を学習することができるように工夫されている。特許文献３記載の幼児用絵本では、ページのタブに文字を表示して、複数ページのタブにより単語が表されるようにして幼児教育に利用することが記載されている。特許文献４記載の教育用絵本では、ページに切り抜き型が設けられており、該切り抜き型に関連した挿絵が表示されている。
【０００６】
【特許文献１】特許第３０８２４２２号公報
【特許文献２】特許第２７４９２８７号公報
【特許文献３】特許第３１００３５９号公報
【特許文献４】特公平３−６７２７１号公報
【発明の開示】
【発明が解決しようとする課題】
【０００７】
血糖計測を初めて行う者や高齢者にとっては、穿刺ペン、血糖計、穿刺針及び試験片をどの順序でどのように使うか分からない場合があり、マニュアルを参照しながら一連の手順を行うことになる。
【０００８】
この際、穿刺ペン、血糖計、穿刺針及び試験片が収納された収納体とは別にマニュアルを用意し、マニュアルを見開きながら次に使うべき器具を収納体の中から選択して操作を行わなければならない。この場合、マニュアルに表示された内容と収納体の中身とを見比べながら器具を特定する必要があり、初心者や高齢者にとっては必ずしも簡便な作業ではない。また、マニュアルを収納体と別に保管していると、該マニュアルを紛失しやすい。
【０００９】
さらに、糖尿病の患者等は、外出先でも血糖値計測を頻繁に行う必要があることから、一式の穿刺ペン、血糖計、穿刺針及び試験片をコンパクトに収納できることが望ましい。
【００１０】
本発明はこのような課題を考慮してなされたものであり、初心者又は高齢者であっても操作器具の操作を一層簡便に行うことができ、且つコンパクトに収納することのできる操作器具セットを提供することを目的とする。
【課題を解決するための手段】
【００１１】
本発明に係る操作器具セットは、折り畳み可能なシート体と、前記シート体の内側で、保持部によって着脱自在に保持される操作器具と、前記シート体の内側で、前記操作器具の取り扱いに係る説明が表示された説明部とを有し、前記操作器具は、前記シート体を折り畳むことによって収納されることを特徴とする。
【００１２】
このように、シート体に、操作器具を保持する保持部と取り扱いに係る説明が表示された説明部とが一体的に構成されていることにより、説明の部分と操作器具とを見比べる手間が大幅に低減され、初心者又は高齢者であっても操作器具の操作を簡便に行うことができる。また、シート体を折り畳むことによって操作器具を簡便且つコンパクトに収納することができる。
【００１３】
この場合、前記シート体は、開いた状態で、四角い中央部と、上下左右に設けられた４つの展開部とを有していてもよい。これにより、展開部をそれぞれ内側に向けて折り畳みコンパクトになり、且つ展開部を開いた状態では広い面積が得られて便利である。
【００１４】
前記説明部は複数枚の頁体であり、前記頁体は、上面の側から順に前記操作器具の取り扱い順序に応じた説明が表示されていてもよい。これにより、頁体を１枚ずつめくりながら正しい手順で操作を行うことができる。
【００１５】
また、本発明に係る操作器具セットは、巻回可能なシート体と、前記シート体の内側で、保持部によって着脱自在に保持される操作器具と、前記シート体の内側で、前記操作器具の取り扱いに係る説明が表示された説明部とを有し、前記操作器具は、前記シート体を巻回して収納されることを特徴とする。
【００１６】
このように、シート体に、操作器具を保持する保持部と取り扱いに係る説明が表示された説明部とが一体的に構成されていることにより、説明の部分と操作器具とを見比べる手間が大幅に低減され、初心者又は高齢者であっても操作器具の操作を簡便に行うことができる。また、シート体を巻回することによって操作器具を簡便且つコンパクトに収納することができる。
【００１７】
前記シート体は開いた状態で縦長形状であって、前記説明部は、縦方向に沿って順に前記操作器具の取り扱い順序に応じた説明が表示されていてもよい。これにより、説明部を縦方向に沿って順に読むことにより正しい手順で操作を行うことができる。
【００１８】
前記保持部は、説明部における取り扱い順序に応じて、前記操作器具を使用する箇所に設けられていてもよい。これにより、操作器具の正しい使用タイミングを容易に確認することができる。
【００１９】
前記操作器具は、アタッチメントを装着して使用するものであり、前記アタッチメントを複数収納するアタッチメント収納部を有していてもよい。このようなアタッチメント収納部にアタッチメントを複数収納しておくことにより、アタッチメントを交換しながら操作器具を複数回使用することができる。
【００２０】
前記アタッチメント収納部は、前記シート体の内側に設けられた袋部であってもよい。
【００２１】
前記操作器具は異なる種類の複数が設けられ、各前記操作器具は、異なるアタッチメントを装着して使用するものであり、前記操作器具と前記アタッチメントは、対応する組が同色に設定され、異なる組は異色に設定されていてもよい。
【００２２】
このような色の区別により、操作器具とアタッチメントとの対応が一層明確になり、アタッチメントの装着操作が容易となる。この場合、同色とは操作者が実質的に同系統の色として認識できる色であり、異色とは、実質的に異なる系統の色として認識できる色である。例えば、同色とはマンセル表色系の色相で１０色相以内、明度及び彩度で３以内の色であり、異色とはそれ以外の色である。
【００２３】
また、操作器具とアタッチメントは、全面が同じ色に設定されている必要はなく、対応する組で、視認しやすい箇所で、十分に識別可能な面積（例えば、全面積の５０％以上、又は姿穴に保持された状態で視認される面積の５０％以上）が同色に設定されていればよい。
【００２４】
また、本発明に係る操作器具セットは、機能の異なる第１操作器具及び第２操作器具と、第１操作器具に装着される第１アタッチメントと、第２操作器具に装着される第２アタッチメントとを有する操作器具セットであって、前記第１操作器具と前記第１アタッチメントとの組は第１の色に設定され、前記第２操作器具と前記第２アタッチメントとの組は前記第１の色とは異なる第２の色に設定されていることを特徴とする。
【００２５】
このような色の区別により、操作器具とアタッチメントとの対応が明確になり、アタッチメントの装着操作が容易となる。
【００２６】
さらに、第１操作器具、第２操作器具、第１アタッチメント及び第２アタッチメントに係る説明が表示された頁体を有し、前記頁体で、前記第１操作器具と前記第１アタッチメントとの組に係る説明は、少なくとも一部が前記第１の色で表示され、又は前記第１の色の枠で囲まれて表示され、前記頁体で、前記第２操作器具と前記第２アタッチメントとの組に係る説明は、少なくとも一部が前記第２の色で表示され、又は前記第２の色の枠で囲まれて表示されていてもよい。
【００２７】
前記説明部は、前記操作器具が配置された状態で説明可能に表示されていてもよい。これにより、実物の操作器具を絵の上に配置して、直接的に使用方法が理解可能となる。
【発明の効果】
【００２８】
本発明に係る操作器具セットによれば、シート体に、操作器具を保持する保持部と取り扱いに係る説明が表示された説明部とが一体的に構成されていることにより、説明の部分と操作器具とを見比べる手間が大幅に低減され、初心者又は高齢者であっても操作器具の操作を簡便に行うことができる。また、シート体を折り畳み又は巻回することによって操作器具を簡便且つコンパクトに収納することができる。
【発明を実施するための最良の形態】
【００２９】
以下、本発明に係る第１及び第２の実施形態を挙げ、添付の図１〜図９を参照しながら説明する。
【００３０】
第１の実施形態に係る操作器具セット１０ａ及び第２の実施形態に係る操作器具セット１０ｂは、血糖値の計測に用いる穿刺ペン（操作器具）１２、該穿刺ペン１２に装着される穿刺針（アタッチメント）１４、血糖計（操作器具）１６、及び該血糖計１６に装着される試験片（アタッチメント）１８を収納するものである。先ず、これらの穿刺ペン１２、穿刺針１４、血糖計１６、試験片１８について説明する。
【００３１】
図１に示すように、穿刺ペン１２は、棒形状で、穿刺針１４を装着して穿刺を行い、血液を微量出すためのものである。穿刺針１４には先端キャップ２０が個別に装着されており、穿刺を行うときに取り外されて、穿刺ペン１２に装着される。
【００３２】
穿刺ペン１２は、穿刺針１４が装着されると内部のばねが圧縮された状態で保持され、穿刺ボタン１２ａを押すことにより圧縮が解除されて穿刺針１４の針本体１４ａが一瞬突出して皮膚を適度に穿刺することができる。この際の針本体１４ａの突出量は、ダイヤル１２ｂの操作により調整することができる。使用後の穿刺針１４は穿刺ペン１２から取り外されて、所定の方法によって廃棄される。
【００３３】
穿刺ペン１２、穿刺針１４及び先端キャップ２０は黄色であり、穿刺操作に係る同じ組に属するものであることを容易に認識可能になっている。なお、図１（及び後述する他の図）では、黄色を片ハッチングで示す。
【００３４】
図２に示すように、血糖計１６は、薄板形状で、試験片１８を装着して血糖計測を行い、計測結果をモニタ１６ａに表示するためのものである。試験片１８は個包装体（アタッチメント）２２に個別に格納されており、計測を行うときに取り出されて、キャップ１６ｂを取り外した血糖計１６に装着され、血液が含浸される。キャップ１６ｂは本体に対してストラップで接続されている。試験片１８には血糖に対して特定の発色をする試薬が含まれている。個包装体２２は、円錐台形状である。
【００３５】
血糖計１６は、電源スイッチ１６ｃを一度押すとオンとなって自動的に計測を開始し、試験片１８に含浸された血液の発色の変化を検出し、所定の計算を行って得られた血糖値をモニタ１６ａに表示する。計測結果は内部のメモリに記録され、呼び出しボタン１６ｄの操作により計測結果の履歴を表示することができる。使用後の試験片１８は、レバー１６ｅの操作によって血糖計１６から取り外され、所定の方法によって廃棄される。
【００３６】
血糖計１６、試験片１８及び個包装体２２は緑色であり、穿刺操作後の血糖計測操作に係る同じ組に属するものであることを容易に認識可能になっている。なお、図２（及び後述する他の図）では、緑色をクロスハッチングで示す。
【００３７】
このように、操作器具セット１０ａでは、機能の異なる組を黄色及び緑色という異なる色に設定して区別していることにより、操作器具（つまり穿刺ペン１２と血糖計１６）とアタッチメント（つまり穿刺針１４と試験片１８）との対応が明確になり、アタッチメントの装着操作が容易となる。
【００３８】
ここで、色の設定は、成型時の添加色素や印刷上の都合等から必ずしも完全に一致する色に設定することができない場合もあるが、操作者が実質的に同系統の色として認識できる色に設定されていればよい。また、黄色と緑色とは操作者が実質的に異なる系統の色として認識できる色に設定されていればよい。例えば、同色としてはマンセル表色系の色相で１０色相以内、明度及び彩度で３以内の色とし、異色としてはそれ以外の色に設定すればよい。
【００３９】
さらに、操作器具とアタッチメントは、全面が同じ色に設定されている必要はなく、対応する組で、視認しやすい箇所で、十分に識別可能な面積（例えば、全面積の５０％以上、又は第１姿穴４０、第２姿穴４４に保持された状態で視認される面積の５０％以上）が同色に設定されていればよい。
【００４０】
また、血糖計１６では、モニタ１６ａは液晶表示板であることから緑色に設定することは困難であり、該モニタ１６ａを除いた部分で十分に識別可能な面積が緑色に設定されていればよい。
【００４１】
また、操作器具とアタッチメントは、全面が同じ色に設定されている必要はなく、対応する組で、視認しやすい箇所で、十分に識別可能な面積が同色に設定されていればよい。
【００４２】
次に、第１の実施形態に係る操作器具セット１０ａについて図３〜図５を参照しながら説明する。
【００４３】
図３に示すように、操作器具セット１０ａは、前記の穿刺ペン１２及び血糖計１６と、折り畳み可能なシート体３０と、シート体３０の内側で、穿刺ペン１２を着脱自在に保持する黄色の第１保持部３２と、血糖計１６を着脱自在に保持する緑色の第２保持部３４と、シート体３０の内側で、穿刺ペン１２、穿刺針１４（先端キャップ２０を含む）、血糖計１６及び個包装体２２（試験片１８を含む）の取り扱いに係る説明が表示された説明部３６とを有する。
【００４４】
第１保持部３２及び第２保持部３４は、展開部４２ｃの内側に設けられており、穿刺ペン１２及び血糖計１６を並列して保持することができる。第１保持部３２及び第２保持部３４は穿刺ペン１２及び血糖計１６を弾性的に保持することができる程度の適度な大きさ及び弾性のゴムリングである。第１保持部３２及び第２保持部３４はは穿刺ペン１２及び血糖計１６の一部を覆うようにして保持しており、大部分は視認可能となっており、説明部３６に表示された絵との対比が容易である。
【００４５】
また、説明部３６に表示された操作器具及びアタッチメントの絵は、実物大（又は略実物大）で描かれており、操作器具及びアタッチメントを絵の上に配置することにより説明が直接的に理解可能となる。
【００４６】
第１保持部３２及び第２保持部３４としては、フックとパイルとを組み合わせる着脱自在のテープや、弾性的に係合可能な樹脂フック等を用いてもよい。
【００４７】
シート体３０は、開いた状態で、四角い中央部４０と、上下左右に設けられた４つの展開部４２ａ、４２ｂ、４２ｃ及び４２ｄとを有する。シート体３０としては、例えば皮革、合成皮革、織物、不織布又は樹脂板等を用いることができる。展開部４２ａ、４２ｂ、４２ｃ及び４２ｄは、中央部４０に対して順に左右上下に対応するものとする。展開部４２ａ〜４２ｄはそれぞれ中央部４０と略同面積である。
【００４８】
穿刺ペン１２及び血糖計１６は第１保持部３２及び第２保持部３４によって保持された状態で、シート体３０の展開部４２ａ〜４２ｄをそれぞれ内側に向けて折り畳むことによりコンパクトに収納される。また展開部４２ａ〜４２ｄを開いた状態では広い面積が得られて便利である。
【００４９】
上方の展開部４２ｃの三方の縁と、中央部４０の裏面における三方の縁には、一対のファスナー４４が設けられており、シート体３０を折り畳む際には、展開部４２ｃを最後に折り畳み、図４に示すようにファスナー４４を閉めることによって内部の穿刺ペン１２及び血糖計１６等が安定して収納され、且つコンパクトになり携帯に好適である。
【００５０】
図３に戻り、展開部４２ａには、穿刺針１４を複数個収納可能な第１袋部（アタッチメント収納部）５２と、個包装体２２を複数個収納可能な第２袋部（アタッチメント収納部）５４とが並列して設けられている。第１袋部５２及び第２袋部５４は、それぞれメッシュで構成されており、内部を視認可能である。第１袋部５２及び第２袋部５４は、ボタン又はチャック等により閉じられる。第１袋部５２及び第２袋部５４に穿刺針１４及び個包装体２２を複数収納しておくことにより、穿刺針１４及び試験片１８を交換しながら穿刺ペン１２及び血糖計１６を複数回使用することができる。
【００５１】
展開部４２ｂにはアタッチメント廃棄袋５６を有する。アタッチメント廃棄袋５６は、使用後の先端キャップ２０、個包装体２２、穿刺針１４及び試験片１８を一連の作業の終了後に所定の方法により廃棄するまでに一時的に収納しておくための袋である。このアタッチメント廃棄袋５６に先端キャップ２０、個包装体２２、穿刺針１４及び試験片１８を一時的に収納しておくことにより、廃棄時までにこれらの部品を紛失することが防止できる。
【００５２】
中央部４０及び展開部４２ｄは、説明部３６として穿刺ペン１２及び血糖計１６等を用いて血糖血計測を行う一連の手順の説明が表示されている。
【００５３】
このうち、展開部４２ｂには、説明又は最初に行うべき準備等が記載されているとともに、一連の作業を行う際に穿刺ペン１２、穿刺針１４、血糖計１６、試験片１８、先端キャップ２０及び個包装体２２を一時的に載置する作業スペースとしても用いられる。図３から明らかなように、展開部４２ｂはシート体３０の中でも最も手前側であって、作業スペースとして好適である。
【００５４】
中央部４０には、穿刺ペン１２、穿刺針１４、血糖計１６及び試験片１８を用いて血糖値の計測を行う手順に係る説明が表示されている。説明は、図解が多用されており、実物の穿刺ペン１２及び血糖計１６等とを対比しながらの操作が容易である。
【００５５】
図解では、穿刺ペン１２、穿刺針１４及び先端キャップ２０は黄色で表示され、血糖計１６、試験片１８及び個包装体２２は緑色で表示され、操作者は穿刺操作に用いる部品と、血糖計測作業に用いる部品とを容易に識別することができる。ここで、これらの説明部３６における黄色及び緑色は、穿刺ペン１２、穿刺針１４及び先端キャップ２０の黄色と、血糖計１６、試験片１８及び個包装体２２の緑色と同系統の色であると認識できる色であればよい。
【００５６】
中央部４０と展開部４２ｂとの説明内容は厳密に区分されている必要はない。説明部３６は、中央部４０及び展開部４２ｂだけではなく、シート体３０の内側であれば展開部４２ａ、４２ｃ及び４２ｄに表示されていてもよい。
【００５７】
上述したように、第１の実施形態に係る操作器具セット１０ａによれば、シート体３０に、穿刺ペン１２及び血糖計１６を保持する第１保持部３２及び第２保持部３４と取り扱いに係る説明が表示された説明部３６とが一体的に構成されていることにより、説明の部分と操作器具とを見比べる手間が大幅に低減され、初心者又は高齢者であっても操作器具の操作を簡便に行うことができる。また、シート体３０を折り畳むことによって穿刺ペン１２及び血糖計１６を簡便且つコンパクトに収納することができる。
【００５８】
説明部３６には穿刺ペン１２、血糖計１６、穿刺針１４、個包装体２２に関する全ての説明が記載されている必要はなく、基本操作を行うことができる程度の要約した説明だけが記載されていてもよい。この場合、万一マニュアルを紛失しても、説明部３６の説明を読めば一通りの操作を行うことができる。
【００５９】
また、操作器具セット１０ａによれば、機能の異なる穿刺ペン１２及び血糖計１６と、穿刺ペン１２に装着される穿刺針１４と、血糖計１６に装着される試験片１８とを有しており、穿刺ペン１２と先端キャップ２０と穿刺針１４の組は黄色に設定されており、血糖計１６と個包装体２２と試験片１８の組は緑色に設定されている。このような色の区別により、操作器具とアタッチメントとの対応が明確になり、アタッチメントの装着操作が容易となっている。
【００６０】
なお、図５に示すように、説明部３６としては、複数枚の頁体５０を設けてもよい。頁体５０は、バインダー５８によって中央部４０に固定され、且つ見開き可能になっている。頁体５０は、穿刺ペン１２、穿刺針１４、血糖計１６及び試験片１８を用いて血糖値の計測を行う手順に係る説明が表示されており、上面から順に手順にしたがって説明がなされている。
【００６１】
頁体５０は、裏面（つまり見開きで上側）に基本説明が表示されており、表面（つまり見開き下側）に詳細説明、応用説明又は補足説明等が記載されている。頁体５０には、端部に概略の操作手順を示す番号が表示されたタブ５０ａが設けられている。頁体５０は、１枚ずつ見開き可能であればよく、シート体３０に対して１辺で接続されている必要はなく、例えば左上部の一点を１つのリングで綴じておいてもよい。あるいは、長尺の説明シートが折り畳まれたものでもよい。
【００６２】
このような構成により、操作者は頁体５０を１枚ずつめくりながら正しい手順で操作を行うことができる。
【００６３】
なお、頁体５０には全ての頁に取り扱い説明が記載されている必要はなく、頁によってはそれ以外の情報（例えば、バージョン情報や連絡先情報等）が表示されていてもよい。
【００６４】
次に、第２の実施形態に係る操作器具セット１０ｂについて、図６〜図９を参照しながら説明する。操作器具セット１０ｂについて、操作器具セット１０ａと同構成の箇所には同符号を付してその詳細な説明を省略する。
【００６５】
図６に示すように、操作器具セット１０ｂは、前記の穿刺ペン１２及び血糖計１６と、巻回可能なシート体１００と、シート体１００の内側で、穿刺ペン１２を着脱自在に保持する黄色の第１保持部３２と、血糖計１６を着脱自在に保持する緑色の第２保持部３４と、シート体１００の内側で、穿刺ペン１２、穿刺針１４（先端キャップ２０を含む）、血糖計１６及び個包装体２２（試験片１８を含む）の取り扱いに係る説明が表示された説明部３６とを有する。
【００６６】
図７に示すように、シート体１００の端部にはフックとパイルとを組み合わせる着脱自在のテープ１０２が設けられている。シート体１００は、巻回した後テープ１０２により側面視丸形状に固定することができ、内部の穿刺ペン１２及び血糖計１６等が安定して収納され、且つコンパクトになり携帯に好適である。
【００６７】
操作器具セット１０ｂは、必ずしも側面視で丸形に巻回するものに限らず、例えば図８に示すように、所定長さ毎に折り曲げながら巻回し、側面視で略四角形状となるものであってもよい。
【００６８】
図６に戻り、シート体３０の内側には、穿刺針１４を複数個収納可能な第１袋部５２と、個包装体２２を複数個収納可能な第２袋部５４とが設けられている。
【００６９】
シート体１００は開いた状態で矢印Ａ方向に縦長形状であって、説明部３６は、縦方向に沿って上（矢印Ａ２側）から下（矢印Ａ１側）に向かって順に穿刺操作及び血糖計測作業の手順が説明されている。このような説明部３６を縦方向に沿って順に読むことにより操作者は正しい手順で操作を行うことができる。
【００７０】
第１保持部３２、第２保持部３４、第１袋部５２及び第２袋部５４は、説明部３６における取り扱い順序に応じて、保持する操作器具を使用する箇所に設けられている。つまり、図９に示すように、第１保持部３２に保持される穿刺ペン１２及び第２保持部３４に収納される穿刺針１４は最初の穿刺操作で用いられるものであることから、説明部３６の矢印Ａ２方向の上端部に設けられている。一方、第２保持部３４に保持される血糖計１６及び個包装体２２は、穿刺操作後の血糖値計測操作で用いられるもであることから、第２保持部３４及び第２袋部５４は、第１保持部３２及び第１袋部５２よりも矢印Ａ１方向で、血糖値計測操作の説明の箇所に設けられている。これにより、操作者は操作器具の正しい使用タイミングを容易に確認することができる。
【００７１】
操作器具セット１０ｂに対して操作器具セット１０ａの頁体５０（図５参照）を設けてもよい。
【００７２】
上述したように、第２の実施形態に係る操作器具セット１０ｂによれば、シート体１００に、穿刺ペン１２及び血糖計１６を保持する第１保持部３２及び第２保持部３４と取り扱いに係る説明が表示された説明部３６とが一体的に構成されていることにより、説明の部分と操作器具とを見比べる手間が大幅に低減され、初心者又は高齢者であっても操作器具の操作を簡便に行うことができる。また、シート体３０を巻回することによって穿刺ペン１２及び血糖計１６を簡便且つコンパクトに収納することができる。
【００７３】
さらに、血糖値測定と関連して使用されるインスリン投与器（操作器具）等についても合わせて収納し、説明を示すようにしてもよい。この場合、インスリン投与器等については、例えば青系統の色とし、穿刺ペン１２等の黄色と、血糖計１６等の緑色と区別するとよい。
【００７４】
本発明に係る操作器具セットは、インスリン投与器等を含め、上述の実施の形態に限らず、本発明の要旨を逸脱することなく、診断や治療に用いる操作器具等、種々の構成を採り得ることはもちろんである。
【図面の簡単な説明】
【００７５】
【図１】穿刺ペン、穿刺針及び該穿刺針を収納する容器の平面図である。
【図２】血糖計、試験片及び該試験片を収納する個包装体の斜視図である。
【図３】第１の実施形態に係る操作器具セットの斜視図である。
【図４】第１の実施形態に係る操作器具セットを閉じた状態の斜視図である。
【図５】第１の実施形態に係る操作器具セットの変形例の斜視図である。
【図６】第２の実施形態に係る操作器具セットの平面図である。
【図７】第２の実施形態に係る操作器具セットを閉じた状態の斜視図である。
【図８】第２の実施形態に係る操作器具セットの変形例を閉じた状態の斜視図である。
【図９】第２の実施形態に係る操作器具セットの一部拡大斜視図である。
【符号の説明】
【００７６】
１０ａ、１０ｂ…操作器具セット    １２…穿刺ペン（操作器具）
１４…穿刺針（アタッチメント）    １６…血糖計（操作器具）
１８…試験片（アタッチメント）    ２０…先端キャップ
２２…個包装体（アタッチメント）  ３０、１００…シート体
３２、３４…保持部                ３６…説明部
５０…頁体                        ５２、５４…袋部（アタッチメント収納部）
【図１】
2008228887.tif 000003
【図２】
2008228887.tif 000004
【図３】
2008228887.tif 000005
【図４】
2008228887.tif 000006
【図５】
2008228887.tif 000007
【図６】
2008228887.tif 000008
【図７】
2008228887.tif 000009
【図８】
2008228887.tif 000010
【図９】
2008228887.tif 000011